(57)【要約】【課題】フットカバーの足へのフィット性を向上させる。【解決手段】フットカバーは、足裏を被覆する足裏編地部と；足の内側から爪先を通じて足の外側までを被覆する爪先側編地部と；足の内側から踵を通じて足の外側までを被覆する踵側編地部と；足の内側に対応し、爪先側編地部と踵側編地部とを縫い合わせた内側縫合部と；足の外側に対応し、爪先側編地部と踵側編地部とを縫い合わせた外側縫合部と；足裏編地部の外周に爪先側編地部および踵側編地部を縫い合わせた外周縫合部とを備え、足裏編地部は、足の内側へと屈曲した形状を成す。【選択図】図１
2020020059.tif 000002
【特許請求の範囲】
【請求項１】
フットカバーであって、
足裏を被覆する足裏編地部と、
足の内側から爪先を通じて足の外側までを被覆する爪先側編地部と、
足の内側から踵を通じて足の外側までを被覆する踵側編地部と、
足の内側に対応し、前記爪先側編地部と前記踵側編地部とを縫い合わせた内側縫合部と、
足の外側に対応し、前記爪先側編地部と前記踵側編地部とを縫い合わせた外側縫合部と、
前記足裏編地部の外周に前記爪先側編地部および前記踵側編地部を縫い合わせた外周縫合部と
を備え、
前記足裏編地部は、足の内側へと屈曲した形状を成す、フットカバー。
【請求項２】
請求項１に記載のフットカバーであって、
前記内側縫合部は、前記外側縫合部より爪先側に位置する、フットカバー。
【請求項３】
請求項１または請求項２に記載のフットカバーであって、
前記内側縫合部は、前記足裏編地部の前後方向の中心より爪先側に位置し、
前記外側縫合部は、前記足裏編地部の前後方向の中心より踵側に位置する、フットカバー。
【請求項４】
請求項１から請求項３までのいずれか一項に記載のフットカバーであって、
前記内側縫合部の長さは、前記外側縫合部の長さより短い、フットカバー。
【請求項５】
請求項１から請求項４までのいずれか一項に記載のフットカバーであって、
前記爪先側編地部は、小指側から親指側に向けて幅が広がる爪先対応部を有する、フットカバー。
【発明の詳細な説明】
【技術分野】
【０００１】
本明細書は、フットカバーを開示する。
【背景技術】
【０００２】
靴下の一形態であるフットカバーは、装着者の足の足裏および爪先から踵までを覆い、甲部分において広く開口した形状を成す。これによって、パンプス、ローファー、デッキシューズなど、広い履き口を有する靴を履いた際、フットカバーを靴の外部から見えにくくすることができる。特許文献１には、足裏編地、爪先側編地および踵側編地を縫合したフットカバーが開示されている。
【先行技術文献】
【特許文献】
【０００３】
【特許文献１】特開２０１８−１００４６３号公報
【発明の概要】
【発明が解決しようとする課題】
【０００４】
フットカバーにおいては、靴の外部から見えにくくするために足を被覆する部分を縮小するほど、足へのフィット性が低下することによって、履き心地が低下するとともに足から脱げやすくなるという問題があった。特に、足から脱げにくくするためにフットカバーの全体形状を小さくすることによって足への締め付けを強くした場合、爪先部分と踵部分との間で編地が突っ張ることによって、土踏まず部分において肌から編地が離れる浮きが生じ、靴を履いた際の不快感の要因となっていた。
【課題を解決するための手段】
【０００５】
（１）本明細書に開示する一形態におけるフットカバーは、足裏を被覆する足裏編地部と；足の内側から爪先を通じて足の外側までを被覆する爪先側編地部と；足の内側から踵を通じて足の外側までを被覆する踵側編地部と；足の内側に対応し、前記爪先側編地部と前記踵側編地部とを縫い合わせた内側縫合部と；足の外側に対応し、前記爪先側編地部と前記踵側編地部とを縫い合わせた外側縫合部と；前記足裏編地部の外周に前記爪先側編地部および前記踵側編地部を縫い合わせた外周縫合部とを備え、前記足裏編地部は、足の内側へと屈曲した形状を成す。この形態のフットカバーによれば、足裏編地部における内側と外側との形状が左右対称形である場合と比較して、足裏編地部における土踏まず部分の編地が減少するため、フットカバーを足に装着した場合に発生する土踏まず部分の浮きを抑制できる。したがって、フットカバーの足へのフィット性を向上させることができる。その結果、履き心地および脱げにくさを向上させることができる。
【０００６】
（２）上述のフットカバーにおいて、前記内側縫合部は、前記外側縫合部より爪先側に位置してもよい。この形態のフットカバーによれば、内側縫合部と外側縫合部との間で、足裏編地部における土踏まず部分の編地が、外側から内側へと爪先側に向けて斜めに引っ張られるため、フットカバーを足に装着した場合に発生する土踏まず部分の浮きをいっそう抑制できる。したがって、フットカバーの足へのフィット性をいっそう向上させることができる。
【０００７】
（３）上述のフットカバーにおいて、前記内側縫合部は、前記足裏編地部の前後方向の中心より爪先側に位置し、前記外側縫合部は、前記足裏編地部の前後方向の中心より踵側に位置してもよい。この形態のフットカバーによれば、編地より伸縮性に劣る内側縫合部と外側縫合部との間で、足裏編地部における土踏まず部分の編地が、外側から内側へと爪先側に向けて斜めに引っ張られるため、フットカバーを足に装着した場合に発生する土踏まず部分の浮きをいっそう抑制できる。したがって、フットカバーの足へのフィット性をいっそう向上させることができる。
【０００８】
（４）上述のフットカバーにおいて、前記内側縫合部の長さは、前記外側縫合部の長さより短くてもよい。この形態のフットカバーによれば、編地より伸縮性に劣る内側縫合部と外側縫合部との間で引っ張られる足裏編地部の編地のうち、内側縫合部側の土踏まず部分の編地がより強く引っ張られるため、フットカバーを足に装着した場合に発生する土踏まず部分の浮きをいっそう抑制できる。したがって、フットカバーの足へのフィット性をいっそう向上させることができる。
【０００９】
（５）上述のフットカバーにおいて、前記爪先側編地部は、小指側から親指側に向けて幅が広がる爪先対応部を有してもよい。この形態のフットカバーによれば、指の大きさに応じて小指側より親指側において編地を持っていかれやすいことから、小指側における編地の余り、ならびに、親指側における編地の不足を、小指側から親指側に向けて幅が広がる爪先対応部によって抑制できる。したがって、フットカバーの足へのフィット性をいっそう向上させることができる。
【００１０】
本明細書に記載する技術は、フットカバーのほか、種々の形態で実現できる。本明細書に記載する技術は、例えば、上述のフットカバーの部材、ならびに、上述のフットカバーを製造する方法などの形態で実現できる。
【図面の簡単な説明】
【００１１】
【図１】フットカバーの外観構成を示す上方斜視図である。
【図２】フットカバーの足裏編地部を示す平面図である。
【図３】フットカバーの爪先側編地部を示す平面図である。
【図４】フットカバーの踵側編地部を示す平面図である。
【発明を実施するための形態】
【００１２】
図１は、フットカバー１０の外観構成を示す上方斜視図である。フットカバー１０は、装着者の足の足裏および爪先から踵までを覆い、甲部分において広く開口した形状を成す靴下である。フットカバー１０は、伸縮性を有する複数の編地を縫合して成る。
【００１３】
フットカバー１０は、右足用と左足用とで異なる形状を成す。図１には、左足用のフットカバー１０が図示されている。右足用のフットカバー１０の形状は、左足用のフットカバー１０の面対称（鏡映対称）である。右足用および左足用のそれぞれのフットカバー１０は、左右非対称形である。
【００１４】
フットカバー１０は、履き口部１０２と、足裏編地部１１０と、爪先側編地部１２０と、踵側編地部１３０と、内側縫合部１４２と、外側縫合部１４４と、外周縫合部１４８とを備える。
【００１５】
フットカバー１０の履き口部１０２は、フットカバー１０を装着する際にフットカバー１０の内側へと足を受け入れる開口部である。フットカバー１０を足に装着した際、履き口部１０２は、踝より下方に位置し、甲部分において広く開口する。履き口部１０２は、爪先側編地部１２０および踵側編地部１３０によって構成されている。爪先側編地部１２０は、履き口部１０２の爪先側を構成し、踵側編地部１３０は、履き口部１０２の踵側を構成する。
【００１６】
本実施形態では、履き口部１０２の内側面には、履き口部１０２を補強する補強テープ１２７，１３７が設けられている。補強テープ１２７，１３７は、伸縮性を有する帯状の編地である。補強テープ１２７は、爪先側編地部１２０側の履き口部１０２に設けられている。補強テープ１３７は、踵側編地部１３０側の履き口部１０２に設けられている。他の実施形態では、補強テープ１２７，１３７が履き口部１０２に設けられていなくてもよい。
【００１７】
図２は、フットカバー１０の足裏編地部１１０を示す平面図である。足裏編地部１１０は、装着者の足の足裏を被覆する編地である。図２における足裏編地部１１０の正面は、フットカバー１０の内面を構成する。足裏編地部１１０の全体形状は、足先と踵とを結ぶ前後方向に延びた楕円状を成す。足裏編地部１１０は、足の内側へと屈曲した形状を成す。
【００１８】
足裏編地部１１０は、爪先側外縁部１１２を取り囲む外縁部として、爪先側外縁部１１２と、踵側外縁部１１４と、内側外縁部１１６と、外側外縁部１１８とを有する。これらの外縁部１１２〜１１８は、爪先側編地部１２０および踵側編地部１３０と縫合されることによって外周縫合部１４８となる。
【００１９】
爪先側外縁部１１２は、足裏編地部１１０における爪先側の外縁を構成する。爪先側外縁部１１２の形状は、円弧である。踵側外縁部１１４は、足裏編地部１１０における踵側の外縁を構成する。踵側外縁部１１４の形状は、爪先側外縁部１１２より小さな円弧である。内側外縁部１１６は、足裏編地部１１０における足の内側に対応する外縁を構成する。内側外縁部１１６は、爪先側外縁部１１２の円弧と踵側外縁部１１４の円弧とを滑らかに繋ぐ曲線である。外側外縁部１１８は、足裏編地部１１０における足の外側に対応する外縁を構成する。外側外縁部１１８は、爪先側外縁部１１２の円弧と踵側外縁部１１４の円弧とを滑らかに繋ぐ曲線である。
【００２０】
足裏編地部１１０における幅方向における中心線ＣＬは、足先と踵とを結ぶ前後方向における中心線ＣＷを挟んで足の内側へと屈曲する。中心線ＣＬは、爪先側外縁部１１２の円弧および踵側外縁部１１４の円弧を２つに等分する線分を含む。中心線ＣＷは、足の土踏まずに対応する部位を通る。
【００２１】
図３は、フットカバー１０の爪先側編地部１２０を示す平面図である。爪先側編地部１２０は、装着者の足の内側から爪先を通じて足の外側までを被覆する編地である。図３における爪先側編地部１２０の正面は、フットカバー１０の外面を構成する。爪先側編地部１２０の全体形状は、足の外側から爪先を経て足の内側へと緩やかな曲線を描く馬蹄状（Ｕ字状）を成す。爪先側編地部１２０は、爪先対応部１２１と、内側端部１２２と、外側端部１２４と、内周外縁部１２６と、外周外縁部１２８とを有する。
【００２２】
爪先対応部１２１は、フットカバー１０を足に装着した際に爪先の甲側に対応する部位である。爪先対応部１２１は、小指側（足の外側）から親指側（足の内側）に向けて幅が広がる。爪先対応部１２１において、親指側の幅ＷＴは、小指側の幅ＷＬより広い。
【００２３】
内側端部１２２は、足の内側に対応し、爪先側編地部１２０において内周外縁部１２６と外周外縁部１２８とを繋ぐ外縁である。内側端部１２２は、踵側編地部１３０と縫合されることによって内側縫合部１４２となる部位である。
【００２４】
外側端部１２４は、足の外側に対応し、爪先側編地部１２０において内周外縁部１２６と外周外縁部１２８とを繋ぐ外縁である。外側端部１２４は、踵側編地部１３０と縫合されることによって、外側縫合部１４４となる部位である。
【００２５】
外側端部１２４は、爪先対応部１２１から内側端部１２２より離れており、内側端部１２２より踵側に位置する。言い換えると、内側端部１２２は、外側端部１２４より爪先側に位置する。内側端部１２２は、外側端部１２４より爪先側に位置する。
【００２６】
外側端部１２４の幅Ｗ２は、内側端部１２２の幅Ｗ１より広い。言い換えると、内側端部１２２の幅Ｗ１は、外側端部１２４の幅Ｗ２より狭い。外側端部１２４の幅Ｗ２は、爪先対応部１２１の小指側の幅ＷＬより広い。内側端部１２２の幅Ｗ１は、爪先対応部１２１の親指側の幅Ｗ１より広い。
【００２７】
内周外縁部１２６は、馬蹄状を成す爪先側編地部１２０の内周側の外縁である。内周外縁部１２６は、フットカバー１０において履き口部１０２の爪先側を構成する。
【００２８】
外周外縁部１２８は、馬蹄状を成す爪先側編地部１２０の外周側の外縁である。外周外縁部１２８は、足裏編地部１１０の外縁と縫合されることによって外周縫合部１４８の爪先側となる部位である。
【００２９】
図４は、フットカバー１０の踵側編地部１３０を示す平面図である。踵側編地部１３０は、装着者の足の内側から踵を通じて足の外側までを被覆する編地である。図４における踵側編地部１３０の正面は、フットカバー１０の外面を構成する。踵側編地部１３０の裏面（内面）には、足からフットカバー１０のズレ落ちを防止する滑り止めとして機能する樹脂製パッドを設けてもよい。踵側編地部１３０は、内側端部１３２と、外側端部１３４と、上方外縁部１３６と、下方外縁部１３８とを有する。
【００３０】
内側端部１３２は、足の内側に対応し、踵側編地部１３０において上方外縁部１３６と下方外縁部１３８とを繋ぐ外縁である。内側端部１３２は、爪先側編地部１２０と縫合されることによって内側縫合部１４２となる部位である。内側端部１３２は、爪先側編地部１２０の内側端部１２２と縫合される。内側端部１３２の幅Ｗ３は、爪先側編地部１２０の内側端部１２２の幅Ｗ１と同様である。
【００３１】
外側端部１３４は、足の外側に対応し、踵側編地部１３０において上方外縁部１３６と下方外縁部１３８とを繋ぐ外縁である。外側端部１３４は、爪先側編地部１２０と縫合されることによって外側縫合部１４４となる部位である。外側端部１３４は、爪先側編地部１２０の外側端部１２４と縫合される。外側端部１３４の幅Ｗ４は、爪先側編地部１２０の外側端部１２４の幅Ｗ２と同様である。
【００３２】
上方外縁部１３６は、踵側編地部１３０において内側端部１３２と外側端部１３４とを直線状に繋ぐ外縁である。上方外縁部１３６は、フットカバー１０において履き口部１０２の踵側を構成する。
【００３３】
下方外縁部１３８は、踵側編地部１３０において内側端部１３２と外側端部１３４とを緩やかな凸状に繋ぐ外縁である。下方外縁部１３８は、足裏編地部１１０の外縁と縫合されることによって外周縫合部１４８の踵側となる部位である。
【００３４】
フットカバー１０の製造方法は、裁断工程と、縫製工程とを含む。裁断工程において、製造者は、原材料である編地から足裏編地部１１０、爪先側編地部１２０および踵側編地部１３０を型紙（パターン）に沿って裁断する。
【００３５】
フットカバー１０の履き口部１０２に補強テープ１２７，１２８を設ける場合、製造者は、縫製工程に先立って、爪先側編地部１２０に補強テープ１２７を貼り付けるととともに、踵側編地部１３０に外周外縁部１２８を貼り付ける。フットカバー１０の踵側編地部１３０に樹脂パッドを設ける場合、縫製工程に先立って、踵側編地部１３０に樹脂パッドを貼り付ける。
【００３６】
裁断工程を経た後、縫製工程において、製造者は、足裏編地部１１０、爪先側編地部１２０および踵側編地部１３０を縫合する。まず、製造者は、爪先側編地部１２０と踵側編地部１３０とを縫合する。この工程において、爪先側編地部１２０の内側端部１２２と踵側編地部１３０の内側端部１３２とを縫合することによって、内側縫合部１４２が形成され、爪先側編地部１２０の外側端部１２４と踵側編地部１３０の外側端部１３４とを縫合することによって、外側縫合部１４４が形成される。
【００３７】
次に、製造者は、足裏編地部１１０の外周に爪先側編地部１２０および踵側編地部１３０を縫合する。この工程において、足裏編地部１１０の爪先側外縁部１１２、踵側外縁部１１４、内側外縁部１１６および外側外縁部１１８に、爪先側編地部１２０の外周外縁部１２８および踵側編地部１３０の内側端部１３２を縫合することによって、外周縫合部１４８が形成される。本実施形態では、製造者は、踵側外縁部１１４から外側外縁部１１８、爪先側外縁部１１２、内側外縁部１１６を経て外側外縁部１１８に戻る一連の縫製作業によって外周縫合部１４８を形成する。裁断工程および縫製工程を経て、フットカバー１０が完成する。
【００３８】
フットカバー１０において、内側縫合部１４２の長さＬ１は、爪先側編地部１２０における内側端部１２２の幅Ｗ１および踵側編地部１３０における内側端部１３２の幅Ｗ３と同等であり、外側縫合部１４４の長さＬ２は、爪先側編地部１２０における外側端部１２４の幅Ｗ２および踵側編地部１３０における外側端部１３４の幅Ｗ４と同等である。したがって、内側縫合部１４２の長さＬ１は、外側縫合部１４４の長さＬ２より短い。
【００３９】
爪先側編地部１２０および踵側編地部１３０の形状から、フットカバー１０において、内側縫合部１４２は、外側縫合部１４４より爪先側に位置する。本実施形態では、内側縫合部１４２は、足裏編地部１１０の前後方向の中心線ＣＷより爪先側に位置し、外側縫合部１４４は、足裏編地部１１０の前後方向の中心線ＣＷより踵側に位置する。
【００４０】
以上説明した実施形態によれば、足裏編地部１１０が足の内側へと屈曲した形状を成すため、足裏編地部における内側と外側との形状が左右対称形である場合と比較して、足裏編地部１１０における土踏まず部分の編地が減少するため、フットカバー１０を足に装着した場合に発生する土踏まず部分の浮きを抑制できる。したがって、フットカバー１０の足へのフィット性を向上させることができる。その結果、履き心地および脱げにくさを向上させることができる。
【００４１】
また、内側縫合部１４２は、外側縫合部１４４より爪先側に位置することから、編地より伸縮性に劣る内側縫合部１４２と外側縫合部１４４との間で、足裏編地部１１０における土踏まず部分の編地が、外側から内側へと爪先側に向けて斜めに引っ張られるため、フットカバー１０を足に装着した場合に発生する土踏まず部分の浮きをいっそう抑制できる。
【００４２】
また、内側縫合部１４２は、足裏編地部１１０の前後方向の中心線ＣＷより爪先側に位置し、外側縫合部１４４は、足裏編地部１１０の前後方向の中心線ＣＷより踵側に位置することから、編地より伸縮性に劣る内側縫合部１４２と外側縫合部１４４との間で、足裏編地部における土踏まず部分の編地が、外側から内側へと爪先側に向けて斜めにより強く引っ張られるため、フットカバー１０を足に装着した場合に発生する土踏まず部分の浮きをいっそう抑制できる。
【００４３】
また、内側縫合部１４２の長さＬ１は、外側縫合部１４４の長さＬ２より短いことから、内側縫合部１４２と外側縫合部１４４との間で引っ張られる足裏編地部の編地のうち、内側縫合部１４２側の土踏まず部分の編地がより強く引っ張られるため、フットカバー１０を足に装着した場合に発生する土踏まず部分の浮きをいっそう抑制できる。
【００４４】
また、指の大きさに応じて小指側より親指側において編地を持っていかれやすいことに対応して、爪先側編地部１２０は、小指側から親指側に向けて幅が広がる爪先対応部１２１を有しているため、小指側における編地の余り、ならびに、親指側における編地の不足を、小指側から親指側に向けて幅が広がる爪先対応部１２１によって抑制できる。
【００４５】
本発明は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【符号の説明】
【００４６】
１０…フットカバー
１０２…履き口部
１１０…足裏編地部
１１２…爪先側外縁部
１１４…踵側外縁部
１１６…内側外縁部
１１８…外側外縁部
１２０…爪先側編地部
１２１…爪先対応部
１２２…内側端部
１２４…外側端部
１２６…内周外縁部
１２７…補強テープ
１２８…外周外縁部
１３０…踵側編地部
１３２…内側端部
１３４…外側端部
１３６…上方外縁部
１３７…補強テープ
１３８…下方外縁部
１４２…内側縫合部
１４４…外側縫合部
１４８…外周縫合部
【図１】
2020020059.tif 000003
【図２】
2020020059.tif 000004
【図３】
2020020059.tif 000005
【図４】
2020020059.tif 000006